(57)【要約】【課題】ペットに対する飼い主の愛情を表現し、悲しみの心を癒すことができ、しかも廃棄処理にも便利な新しいセレモニーグッズ、ペット棺桶用花立てを提供する。【解決手段】ペット棺桶１に用いられる造花３、クロス４その他の装飾品を収容するための箱２の蓋２２又は箱本体２１から構成され、外周に造花の茎を差し込む差込部２２２が複数形成され、中央部２２３が取り外し可能に構成され、ペットの死骸を収容する棺桶１の上面に装着可能とされている。【選択図】  図１
2006006118.tif 000002
【特許請求の範囲】
【請求項１】
ペット棺桶に用いられる造花、クロスその他の装飾品を収容するための箱の蓋又は箱本体から構成され、
外周に前記造花の茎を差し込む差込部が複数形成され、中央部が取り外し可能に構成され、
ペットの死骸を収容する棺桶の上面に装着可能とされていることを特徴とするペット棺桶用花立て。
【請求項２】
紙製であることを特徴とする請求項１記載のペット棺桶用花立て。
【請求項３】
プラスチック製であることを特徴とする請求項１記載のペット棺桶用花立て。
【請求項４】
前記差込部は、箱の蓋又は箱本体を構成する板状紙を折り曲げた筒状構造体とされていることを特徴とする請求項２記載のペット棺桶用花立て。
【請求項５】
前記中央部に、ペットの写真を入れる片、名札又はペットへのメッセージカード片が取り外し可能に設けられていることを特徴とする請求項１〜４の何れかに記載のペット棺桶用花立て。
【発明の詳細な説明】
【技術分野】
【０００１】
本発明は、犬や猫などのペット（愛玩動物）を火葬又は埋葬するための棺桶に用いられる花立てに関する。
【背景技術】
【０００２】
犬や猫などのペットも人間と同じように棺桶に入れて火葬したり埋葬したりされる。これまで、ペットに対する飼い主の愛情を示すためにいくつかのペット用棺桶が提案されているが、何れも棺桶そのものを複雑な構造品で飾り付けたりするものであることから、高価な棺桶となったり、複雑で生産性の悪い棺桶となっていた。
【０００３】
また、飾り付けするための造花やクロスは、棺桶とは別の箱に入れた状態で販売され、斎場でこの箱を空けて造花やクロスを取り出して棺桶に飾り付けするが、斎場で箱の廃棄処理をしなければならないといった不都合があった。
【特許文献１】特開平７−２８９１１０号公報
【特許文献２】特開平１０−９８９６７号公報
【発明の開示】
【０００４】
本発明は、造花やクロスなどの棺桶装飾品を収容する箱の一部を棺桶用花立てに利用することで、ペットに対する飼い主の愛情を表現し、心を癒すことができ、しかも廃棄処理にも便利なペット棺桶用花立てを提供することを目的とする。
上記目的を達成するために、本発明のペット棺桶用花立ては、ペット棺桶に用いられる造花、クロスその他の装飾品を収容するための箱の蓋又は箱本体から構成され、外周に前記造花の茎を差し込む差込部が複数形成され、中央部が取り外し可能に構成され、ペットの死骸を収容する棺桶の上面に装着可能とされていることを特徴とする。
【０００５】
本発明のペット棺桶用花立ては、焼却可能な紙製又は複数回使用可能なプラスチック製であることがより好ましい。
【０００６】
本発明のペット棺桶用花立てを紙製とする場合、差込部を、箱の蓋又は箱本体を構成する板状紙を折り曲げた筒状構造体とすることがより好ましい。
【０００７】
本発明において、中央部に、ペットの写真を入れる片、名札又はペットへのメッセージカード片を取り外し可能に設けることがより好ましい。
【０００８】
本発明では、ペット棺桶を装飾するための造花やクロスを箱に入れて販売する際に、この箱を構成する蓋又は箱本体を花立てとして利用する。すなわち、斎場などにおいて箱から造花やクロスを取り出し、ペットの死骸を入れた棺桶にクロスを掛けたのち、箱の蓋又は箱本体から構成される花立てをこの上から装着し、花立てに形成された差込部に造花の茎を差し込む。この状態でペットの供養および火葬や埋葬を行う。
【０００９】
造花やクロスなどの装飾品を収容した箱の一部を花立てとして利用することで、無駄に廃棄する部品が少なくなり、コストダウンにも資する。
【００１０】
また、花立てを紙で構成すればそのまま火葬または埋葬することができるし、花立てをプラスチックで構成すれば何度も利用することができ、資源の有効活用ができる。
【００１１】
さらに、中央部にペットの写真を入れる片、名札又はペットへのメッセージカード片を取り外し可能に設けておけば、無駄に廃棄する部品がさらに少なくなり、より一層コストダウンを図ることができる。棺桶にこれらペットの写真、ペットの名札または飼い主からペットに対するメッセージを記載したメッセージカードを入れれば、出棺にあたっても華やかにペットを見送ってあげることができる。
【００１２】
また、花立てに造花を差し込むことで、ペット棺桶がより艶やかになり、ペットに対する飼い主の愛情がより表現され、飼い主の心が癒される。
【発明の実施の形態】
【００１３】
以下、本発明の実施形態を図面に基づいて説明する。  
図１は本発明の実施形態に係るペット棺桶に用いられる造花およびクロスを収容するための箱を示す分解斜視図、図２は本発明の実施形態に係るペット用棺桶、クロスおよび花立てを示す分解斜視図、図３は図２のIII-III線に沿う断面図である。
【００１４】
まず図１を参照しながらペット棺桶に用いられる造花およびクロスを収容する箱２について説明する。
【００１５】
本実施形態に係る箱２は、箱本体２１と蓋２２とから構成され、後述するペット棺桶１を装飾するための造花３やクロス４を収容して販売に供される。箱本体２１も蓋２２も紙製であり、板状紙を折り曲げることで構成される。なお、これら箱本体２１および蓋２２の構造は特に限定されず、従来公知の構造を採用することができる。
【００１６】
特に本実施形態に係る蓋２２の外周は筒状構造体２２１とされ（詳細は図３参照）、この上面に造花３の茎３１を差し込むための差込部２２２が形成されている。
【００１７】
すなわち、この筒状構造体２２１は、図３に断面図で示すように、板状紙の外周縁を、幅が数ｃｍ程度の空間が形成されるように折り曲げることにより構成される。なお、折り曲げて筒状構造体２２１とする先端は両面テープなどを用いて接着することが望ましいが、箱２の蓋２２として箱本体２１に蓋をしたり、また後述するように花立て２２´として棺桶１の上面に装着したりすれば、筒状構造体２２１の先端が押さえられてその形状を維持するので、接着を省略しても何ら問題ない。
【００１８】
ちなみに、本発明において箱２の蓋が棺桶１の花立てとして利用できるが、両者を区別するために箱２の蓋として用いられる場合は「蓋２２」、棺桶１の花立てとして用いられる場合は「花立て２２´」と異なる符号を付して説明することとする。
【００１９】
本例において、蓋２２の筒状構造体２２１の上面には、造花３の茎３１を差し込むための差込部２２２が形成されている。本例の差込部２２２は、十字状の切り込み（スリット）とされているが、図示する十字状の切り込みは勿論のことそれ以上の切り込みで構成することも均等の範囲内である。
【００２０】
蓋２２の中央部２２３は、全周にミシン目（切り込み）２２４が形成されることにより取り外し可能とされている。これは、箱２の蓋２２として用いる場合にはこの中央部２２３を取り外さないで使用する一方で、図２に示すように棺桶１の花立て２２´として利用する場合にはこの中央部２２３を取り外し、枠体構造の花立て２２´とするためである。
【００２１】
また、中央部２２３には、さらにミシン目２２６を形成することで幾つかのペットの写真を入れる片、名札又はペットへのメッセージカード片（これらを総称して２２５という。）が取り外し可能に設けられている。これにより、別途のメッセージカード等を用意しなくてもペットの供養を行うことができる。
【００２２】
なお、中央部２２３の一縁には折り曲げ部又は切り欠き部２２７が形成され、中央部２２３をミシン目２２４に沿って取り外す場合の指の挿入部として機能する。
【００２３】
箱本体２１に収容する造花３およびクロス４の収容形態は特に限定されないが、図１に示す例では造花３はダンボールなどの紙製筒体３２の側面に差し込み、クロス４は同じくダンボールなどの紙製筒体又は板状体４１に包んだ状態で箱本体２１に収容される。そして、上述した蓋２２を被せて販売に供される。
【００２４】
以上説明した箱２の蓋２２が花立て２２´として利用される。次に、この花立て２２´を用いたペット棺桶１について説明する。
【００２５】
本実施形態のペットの死骸を収容する棺桶１は、図２に示すように、４つの壁面、底面及び頂面を有するダンボール箱から構成することができ、底面及び頂面は四辺それぞれに設けられた蓋片１ａ（図１には頂面のみこの様子を示すが、底面についても同様の構成とされている。）が互いに重ね合わされるようにして構成されている。なお、同図に示す棺桶１では頂面の蓋片１ａの一方を円弧状に切り欠き（１ｂ）、供養の最後のお別れでペットの顔を視認可能にしている。
【００２６】
棺桶１は、ペットの大きさに応じて、たとえば小さいペット用の棺桶として縦１５ｃｍ×横７．５ｃｍ×高さ５ｃｍまたは縦５４ｃｍ×横３６ｃｍ×高さ２２ｃｍのものを、中位のペット用の棺桶として縦７０ｃｍ×横５２ｃｍ×高さ２３ｃｍのものを、大きいペット用の棺桶として縦９２ｃｍ×横６１ｃｍ×高さ３２ｃｍのものを、それぞれ使用することができる。ただし、これら具体的数値は本発明を限定するものではない。
【００２７】
棺桶１の表面に印刷などの装飾を施すこともできるが、本実施形態では無装飾のダンボール箱を棺桶１として使用し、別途印刷などで装飾したクロスを使用することで、棺桶１を安価かつ作製を容易とし、トータルコストを低減することもできる。
【００２８】
そして、この棺桶１にペットの死骸を入れ、蓋１ａを閉めた状態でクロス４を被せ、さらにこの上から、中央部２２３を取り外した花立て２２´を装着する。これにより、クロス４が固定されるとともに棺桶１の蓋１ａも固定されることになる。造花３は、花立て２２´の差込部２２２に挿入し、棺桶１を装飾する。
【００２９】
本例の花立て２２´を棺桶１に装着することにより、ペット棺桶１がより艶やかになり、ペットに対する飼い主の愛情がより表現され、飼い主の心が癒される。
【００３０】
また、棺桶１、花立て２２´及び造花３を全て紙製物品とすることで火葬に際しても環境上問題はない。
【００３１】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００３２】
たとえば、本発明に係る花立て２２´は、箱２の蓋２２を利用する以外にも箱２の箱本体２１を利用することもできる。
【００３３】
また、上述した実施形態では箱２の蓋２２を紙で構成して花立て２２´として利用してそのまま火葬に供したが、蓋２２をプラスチックで構成し、供養するときは花立て２２´として利用し、火葬の際は取り外すことで何度も使用することもできる。
【図面の簡単な説明】
【００３４】
【図１】本発明の実施形態に係るペット棺桶に用いられる造花およびクロスを収容するための箱を示す分解斜視図である。
【図２】本発明の実施形態に係るペット用棺桶、クロスおよび花立てを示す分解斜視図である。
【図３】図２のIII-III線に沿う断面図である。
【符号の説明】
【００３５】
１…棺桶
２…箱
２１…箱本体
２２…蓋
２２１…筒状構造体
２２２…差込部
２２３…中央部
２２´…花立て
３…造花
４…クロス
【図１】
2006006118.tif 000003
【図２】
2006006118.tif 000004
【図３】
2006006118.tif 000005